(57)【要約】【課題】  より効率的に実績情報の収集、管理を行うことを可能とする実績情報収集装置、実績情報収集方法、及び実績情報収集処理プログラム等を提供する。【解決手段】  コンピュータにより所定の処理を実行すると共に、少なくとも前記処理の項目及び前記処理の開始又は終了時刻情報を含む実績情報を前記処理を実行する度に保存する自動処理装置と、前記実績情報を管理する実績情報管理装置と、前記自動処理装置及び実績情報管理装置に通信手段を介して接続された実績情報収集装置と、を備えるシステムにおける前記実績情報収集装置であって、前記通信手段を介して前記自動処理装置から実績情報を収集する実績情報収集手段と、前記収集された実績情報を、前記実績情報管理装置にて管理される実績情報に応じた形式に変換する変換手段と、前記変換された実績情報を前記通信手段を介して前記実績情報管理装置に出力する実績情報出力手段と、を備える。【選択図】  図１
2006099204.tif 000002
【特許請求の範囲】
【請求項１】
コンピュータにより所定の処理を実行すると共に、少なくとも前記処理の項目及び前記処理の開始又は終了時刻情報を含む実績情報を前記処理を実行する度に保存する自動処理装置と、前記実績情報を管理する実績情報管理装置と、前記自動処理装置及び実績情報管理装置に通信手段を介して接続された実績情報収集装置と、を備えるシステムにおける前記実績情報収集装置であって、
前記通信手段を介して前記自動処理装置から実績情報を収集する実績情報収集手段と、
前記収集された実績情報を、前記実績情報管理装置にて管理される実績情報に応じた形式に変換する変換手段と、
前記変換された実績情報を前記通信手段を介して前記実績情報管理装置に出力する実績情報出力手段と、
を備えることを特徴とする実績情報収集装置。
【請求項２】
請求項１に記載の実績情報収集装置において、
前記処理の項目と、前記処理が属する作業の項目との関連付けを示す処理関連付け情報を記憶する記憶手段を更に備え、
前記変換手段は、前記収集された実績情報を、少なくとも前記処理の項目及び前記処理の開始又は終了時刻情報、並びに当該処理に関連付けられた作業の項目を含む実績情報に変換することを特徴とする実績情報収集装置。
【請求項３】
請求項１又は２に記載の実績情報収集装置において、
前記実績情報には、前記処理毎に固有に付与された第１ジョブ情報が含まれており、
前記第１ジョブ情報と、前記実績情報管理装置において前記実績情報を前記処理毎に管理するための第２ジョブ情報との関連付けを示すジョブ関連付け情報を記憶する記憶手段を更に備え、
前記変換手段は、前記収集された実績情報を、少なくとも前記処理の項目及び前記処理の開始又は終了時刻情報、並びに前記第１ジョブ情報に関連付けられた前記第２ジョブ情報を含む実績情報に変換することを特徴とする実績情報収集装置。
【請求項４】
コンピュータにより所定の処理を実行すると共に、少なくとも前記処理の項目及び前記処理の開始又は終了時刻情報を含む実績情報を前記処理を実行する度に保存する自動処理装置と、前記実績情報を管理する実績情報管理装置と、前記自動処理装置及び実績情報管理装置に通信手段を介して接続された実績情報収集装置と、を備えるシステムにおける実績情報収集方法であって、
前記実績情報収集装置が、前記通信手段を介して前記自動処理装置から実績情報を収集する工程と、
前記実績情報収集装置が、前記収集された実績情報を、前記実績情報管理装置にて管理される実績情報に応じた形式に変換する工程と、
前記実績情報収集装置が、前記変換された実績情報を前記通信手段を介して前記実績情報管理装置に出力する工程と、
を備えることを特徴とする実績情報収集方法。
【請求項５】
コンピュータを、請求項１乃至３の何れか一項に記載の実績情報収集装置として機能させることを特徴とする実績情報収集処理プログラム。
【請求項６】
請求項５に記載の実績情報収集処理プログラムがコンピュータ読み取り可能に記録されていることを特徴とする記録媒体。
【発明の詳細な説明】
【技術分野】
【０００１】
本発明は、実績情報を保存する生産装置等の自動処理装置と、前記実績情報を管理する実績情報管理装置と、を備えるシステム及び方法等の技術分野に関する。
【背景技術】
【０００２】
従来から、例えば印刷業界において、製版、刷版、印刷の作業工程における作業の実績情報（例えば、開始、終了時刻、結果）を管理するため、実績情報管理装置（実績情報管理システム）が利用されてきた。例えば、作業者は、実績情報の収集対象である作業を開始、終了するごとに、入力部（入力端末）を操作して実績情報を実績情報管理装置に入力していた。
【０００３】
ところで、近年、ネットワークに接続されており、処理が自動化され、作業の開始や終了の時刻や作業の結果といった実績情報をコンピュータ上に記憶部に保持し、ネットワークに接続された他のコンピュータから実績情報を確認可能な自動処理装置が知られるようになってきた。このような自動処理装置の一例として、コンピュータのデータファイルから直接刷版を作成するＣＴＰ（Computer To Plate）出力装置が知られている。
【０００４】
一方で、このような自動処理装置以外の設備としては、例えば、目視で製版フィルムと刷版版材の見当合わせをしてから露光、現像することで刷版を作成する焼枠設備が知られており、このような設備は、自動処理装置とは異なり、実績情報を保持することができない。特許文献１には、実績を保持しない印刷機から直接、作業情報を収集している印刷生産管理システムが開示されている。
【特許文献１】特開平１１−３００９３６号公報
【発明の開示】
【発明が解決しようとする課題】
【０００５】
ところで、設備の生産性を分析し、設備の置き換えの検討などに活用する目的で、上記実績情報は、上記実績情報管理装置にて管理されているが、従来は、自動処理装置の場合でも、作業者による実績情報の入力は手間となっていた。
【０００６】
例えば、自動処理装置以外の設備においては、作業者は、（ｉ）作業開始時に実績情報管理装置に開始を入力し、（ｉｉ）作業終了時に実績情報管理装置に終了を入力する。これに対し、自動処理装置においては、作業者は、（ｉ）作業開始時に実績情報管理装置に開始を入力し、更に、（ｉｉ）自動処理装置に対し実行開始指示を入力し、その後、（ｉｉｉ）自動処理が終了したかどうかを自動処理装置のモニタ画面や出力部の有無等で確認（監視）し、終了した場合には、（ｉｖ）実績情報管理装置に終了を入力するようになっている。
【０００７】
このように、自動処理装置では、自動処理装置以外の設備のときよりも作業者の手間が増してしまっているという問題等があり、従来、上記のような実績情報の管理は、非効率的であった。
【０００８】
本発明は、以上の点に鑑みてなされたものであり、より効率的に実績情報の収集、管理を行うことを可能とする実績情報収集装置、実績情報収集方法、及び実績情報収集処理プログラム等を提供することを課題とする。
【課題を解決するための手段】
【０００９】
上記課題を解決するために、請求項１に記載の発明は、コンピュータにより所定の処理を実行すると共に、少なくとも前記処理の項目及び前記処理の開始又は終了時刻情報を含む実績情報を前記処理を実行する度に保存する自動処理装置と、前記実績情報を管理する実績情報管理装置と、前記自動処理装置及び実績情報管理装置に通信手段を介して接続された実績情報収集装置と、を備えるシステムにおける前記実績情報収集装置であって、前記通信手段を介して前記自動処理装置から実績情報を収集する実績情報収集手段と、前記収集された実績情報を、前記実績情報管理装置にて管理される実績情報に応じた形式に変換する変換手段と、前記変換された実績情報を前記通信手段を介して前記実績情報管理装置に出力する実績情報出力手段と、を備えることを特徴とする。
【００１０】
請求項２に記載の発明は、請求項１に記載の実績情報収集装置において、前記処理の項目と、前記処理が属する作業の項目との関連付けを示す処理関連付け情報を記憶する記憶手段を更に備え、前記変換手段は、前記収集された実績情報を、少なくとも前記処理の項目及び前記処理の開始又は終了時刻情報、並びに当該処理に関連付けられた作業の項目を含む実績情報に変換することを特徴とする。
【００１１】
請求項３に記載の発明は、請求項１又は２に記載の実績情報収集装置において、前記実績情報には、前記処理毎に固有に付与された第１ジョブ情報が含まれており、前記第１ジョブ情報と、前記実績情報管理装置において前記実績情報を前記処理毎に管理するための第２ジョブ情報との関連付けを示すジョブ関連付け情報を記憶する記憶手段を更に備え、前記変換手段は、前記収集された実績情報を、少なくとも前記処理の項目及び前記処理の開始又は終了時刻情報、並びに前記第１ジョブ情報に関連付けられた前記第２ジョブ情報を含む実績情報に変換することを特徴とする。
【００１２】
請求項４に記載の発明は、コンピュータにより所定の処理を実行すると共に、少なくとも前記処理の項目及び前記処理の開始又は終了時刻情報を含む実績情報を前記処理を実行する度に保存する自動処理装置と、前記実績情報を管理する実績情報管理装置と、前記自動処理装置及び実績情報管理装置に通信手段を介して接続された実績情報収集装置と、を備えるシステムにおける実績情報収集方法であって、前記実績情報収集装置が、前記通信手段を介して前記自動処理装置から実績情報を収集する工程と、前記実績情報収集装置が、前記収集された実績情報を、前記実績情報管理装置にて管理される実績情報に応じた形式に変換する工程と、前記実績情報収集装置が、前記変換された実績情報を前記通信手段を介して前記実績情報管理装置に出力する工程と、を備えることを特徴とする。
【００１３】
請求項５に記載の発明は、コンピュータを、請求項１乃至３の何れか一項に記載の実績情報収集装置として機能させることを特徴とする。
【００１４】
請求項６に記載の発明は、請求項５に記載の実績情報収集処理プログラムがコンピュータ読み取り可能に記録されていることを特徴とする。
【発明の効果】
【００１５】
本発明によれば、自動処理装置における実績情報を実績情報収集装置が収集し、実績情報管理装置にて管理される実績情報に応じた形式に変換して実績情報管理装置に出力するように構成したので、作業者が実績情報を実績情報管理装置に入力する手間を削減でき、より効率的に実績情報を管理することができる。
【発明を実施するための最良の形態】
【００１６】
以下、図面を参照して本発明の最良の実施形態について詳細に説明する。
【００１７】
先ず、図１及び図２を参照して本実施形態におけるシステムの概要構成について説明する。
【００１８】
図１は、本実施形態におけるシステムＳの構成例を示す図である。図２（Ａ）は、自動処理装置で管理される実績情報の一例を、図２（Ｂ）は、実績情報管理装置で管理される実績情報の一例を、図２（Ｃ）及び（Ｄ）は、実績情報収集装置３で管理されるジョブ付け合せ情報及び処理付け合せ情報の一例を、夫々示す図である。
【００１９】
図１に示すように、本実施形態におけるシステムＳは、複数（本実施形態では、一例として２つであるが、これに限定されない）の自動処理装置１ａ，１ｂと、実績情報管理装置２と、実績情報収集装置３とを備えて構成されており、これらの装置は、通信手段としてのネットワーク（例えば、ＬＡＮ（Local Area Network））４を介して相互に接続されている。
【００２０】
自動処理装置１ａ，１ｂは、コンピュータを主体として構成され、当該コンピュータにより所定の処理を実行する生産装置であり、例えば、刷版工程における刷版作成作業を例にとると、刷版作成用のデータファイルを用いて刷版を作成し出力（例えば、ＣＴＰ出力）する版出力処理を行う生産処理手段１１ａを備えている。なお、自動処理装置１ａと自動処理装置１ｂとは、異なる刷版を作成する（生産処理手段１１ａにおける版出力処理の具体的内容については、本発明と直接の関係がないので説明を省略する）ものとするが、基本的な構成及び機能について同様になっているものとし、以下の説明においては、自動処理装置１ａを代表として説明する。
【００２１】
自動処理装置１ａは、更に、図１に示すように、実績情報１４ａを管理する実績情報管理手段１２ａ、実績情報収集装置３からの要求に応じて実績情報１４ａを当該実績情報収集装置３に対して出力する実績情報出力手段（通信インターフェースを含む）１３ａ、及び作業者が各種情報や、指示（例えば、処理開始指示）を入力するための入力部（例えば、マウス、キーボード等）１５ａ等を備えている。
【００２２】
実績情報管理手段１２ａにより管理される実績情報１４ａは、１つ１つの処理（例えば、版出力１処理）が実行される度に生成され、図示しない記憶部（例えば、ＨＤＤ）に記憶保存されるものである。また、１つ１つの処理は、ジョブ（ある条件でひとまとまりに管理される仕事のことであり、例えば、受注番号で特定される品目等を指す）という単位で管理されるようになっており、各ジョブには、自動処理装置１ａで固有のジョブ番号（以下、自動処理装置におけるジョブ番号を「自動処理ジョブ（第１ジョブ情報）」という）が与えられる。
【００２３】
また、実績情報１４ａには、例えば、図２（Ａ）に示すように、自動処理ジョブ、処理（処理の項目）、開始時刻、終了時刻、及び処理結果等の情報が含まれている。自動処理ジョブは、作業者が、後述するジョブ付け合せ情報を参照し入力部１５ａを介して入力されることにより取得され、実績情報１４ａの一つとして保存される。また、処理（処理の項目）は、例えば作業者から入力部１５ａを介して処理開始指示があったときに、予め用意（記憶）されていた中から当該処理に対応する項目が取得されるか、或いは、作業者が入力部１５ａを介して入力されることにより取得され、実績情報１４ａの一つとして保存される。また、開始時刻は、例えば作業者から入力部１５ａを介して処理開始指示があったときに、自動処理装置１ａに内蔵する時計機能により取得され、実績情報１４ａの一つとして保存される。また、終了時刻は、例えば当該処理が終了したときに、自動処理装置１ａに内蔵する時計機能により取得され、実績情報１４ａの一つとして保存される。また、処理結果としては、例えば、当該処理の良否を示す情報や、当該処理の終了を示す情報が挙げられ、当該処理が終了したときに、取得され、実績情報１４ａの一つとして保存される。
【００２４】
次に、実績情報管理装置２は、コンピュータからなり、図１に示すように、複数の自動処理装置１ａ，１ｂにおける実績情報、更には、自動処理装置以外の複数の設備（例えば、目視で製版フィルムと刷版版材の見当合わせをしてから露光、現像することで刷版を作成する焼枠設備）における実績情報を一元管理する実績情報管理手段２２と、実績情報収集装置３からの実績情報をネットワーク４を介して入力する実績情報入力手段（通信インターフェースを含む）２１と、作業者が各種情報や、指示を入力するための入力部（例えば、マウス、キーボード等）２４（入力専用の端末装置でもよい）と、を備えている。なお、自動処理装置以外の複数の設備における実績情報については、作業者により入力部２４を介して入力され、図示しない記憶部（例えば、ＨＤＤ）に記憶保存される。
【００２５】
実績情報管理手段２２により管理される実績情報２３は、図示しない記憶部（例えば、ＨＤＤ）に記憶保存され、実績情報１４ａと同じように、ジョブ（実績情報を処理毎に管理するためジョブ）で管理される。また、各ジョブには、実績情報管理装置２で固有のジョブ番号（以下、実績情報管理装置におけるジョブ番号を「実績管理ジョブ（第２ジョブ情報）」という）が与えられる。この実績管理ジョブは、例えば、作業者が入力部２４を介して入力されることにより取得され、実績情報１４ａの一つとして設定、保存される。
【００２６】
また、実績情報２３には、例えば、図２（Ｂ）に示すように、実績管理ジョブ、工程、作業（作業の項目）、処理（処理の項目）、開始時刻、終了時刻、及び処理結果等の情報が含まれている。実績情報２３は、図２（Ａ）に示す実績情報１４ａと比較すると、実績管理ジョブの番号が自動処理ジョブとは異なっており（後述するように、同じであってもよい）、実績情報１４ａから工程、作業（作業の項目）が追加されている。ここで、作業（例えば、版作成）は、処理（例えば、版出力１）のカテゴリーである（言い換えれば、版出力１は、版作成に属する）。
【００２７】
次に、実績情報収集装置３は、コンピュータからなり、図１に示すように、ＣＰＵ，ＲＯＭ及びＲＡＭ等から構成される演算処理部３１、作業者が各種情報や指示を入力するための入力部（例えば、マウス、キーボード等）３２、各種情報を表示する表示部（例えば、液晶ディスプレイ等）３３、及び記憶手段としての記憶部（例えば、ＨＤＤ）等を備えている。そして、演算処理部３１におけるＣＰＵが、記憶部等に記憶されたプログラム（本発明の実績情報収集処理プログラムを含む）を読み出し実行することにより、演算処理部３１は、ジョブ管理手段３１ａ、処理管理手段３１ｃ、実績情報収集手段３１ｅ、付け合せ手段３１ｆ、変換手段３１ｇ、及び実績情報出力手段（通信インターフェースを含む）３１ｈとして機能するようになっている。
【００２８】
ジョブ管理手段３１ａは、上記自動処理ジョブと上記実績管理ジョブとの関連付け、つまり、付け合せるためのジョブ付け合せ情報（関連付け情報）３１ｂを管理するようになっている。図２（Ｃ）の例では、版出力１の処理について、自動処理ジョブ「２２２２」対して実績管理ジョブ「３３３３」が付け合されている。このようなジョブ付け合せ情報３１ｂは、例えば、実績情報管理装置２において実績管理ジョブが保存（追加）される際に、作業者が入力部２４を介して入力されることにより設定、保存される。また、ジョブ付け合せ情報（関連付け情報）３１ｂは、作業者からの入力部３２を介した指示に従いジョブ管理手段３１ａにより、表示部３３に表示される。
【００２９】
処理管理手段３１ｃは、上記処理（処理の項目）と、当該処理が属する作業（作業の項目）との関連付け、つまり、付け合せるための処理付け合せ情報（関連付け情報）３１ｄを管理するようになっている。図２（Ｄ）の例では、処理「版出力１」及び「版出力２」に対して作業「版作成」が付け合されている。このような処理付け合せ情報３１ｄは、例えば、自動処理装置１ａにおける処理（処理の項目）が追加される際に、作業者が入力部２４を介して入力されることにより設定、保存される。また、処理付け合せ情報３１ｄは、作業者からの入力部３２を介した指示に従い処理管理手段３１ｃにより、表示部３３に表示される。
【００３０】
実績情報収集手段３１ｅは、定期的に、ネットワーク４を介して自動処理装置１ａ，１ｂから上記実績情報１４ａ，１４ｂを収集するようになっている。
【００３１】
付け合せ手段３１ｆは、ジョブ付け合せ情報３１ｂを参照して、実績情報収集手段３１ｅにより収集された例えば実績情報１４ａに含まれる自動処理ジョブに付け合（関連付け）されている実績管理ジョブを決定、取得するようになっている。また、付け合せ手段３１ｆは、処理付け合せ情報３１ｄを参照して、実績情報収集手段３１ｅにより収集された例えば実績情報１４ａに含まれる処理（処理の項目）に付け合（関連付け）されている作業（作業の項目）を決定、取得するようになっている。
【００３２】
変換手段３１ｇは、付け合せ手段３１ｆにより取得された実績管理ジョブ及び作業（作業の項目）を用いて、実績情報収集手段３１ｅにより収集された例えば実績情報１４ａを、実績情報管理装置２にて管理される実績情報に応じた形式に変換（日付や時刻も変換してもよい）し、実績情報２３を生成するようになっている。生成された実績情報２３には、自動処理ジョブから変換された実績管理ジョブ、作業（作業の項目）、処理（処理の項目）、開始又は終了時刻（終了の場合には、処理結果）等の情報が含まれることになる。
【００３３】
実績情報出力手段３１ｈは、変換手段３１ｇにより生成された実績情報２３を実績情報管理装置２に対して出力するようになっている。
【００３４】
次に、図１乃至図４を参照して、本実施形態におけるシステムＳの動作について、実績情報収集装置３を主体として説明する。
【００３５】
図３は、実績情報収集装置３における演算処理部３１における実績情報収集処理の一例を示すフローチャートであり、図４は、実績情報管理装置２にて管理される実績情報２３の内容が変化する様子を示す図である。
【００３６】
なお、図３に示す処理は、図示しない記憶部等に記憶された実績情報収集処理プログラムが演算処理部３１により読み込まれ、実行されることにより行われる。
【００３７】
また、当該処理の説明の前提として、実績情報収集装置３には、図２（Ｃ）に示すジョブ付け合せ情報３１ｂと、図２（Ｄ）に示す処理付け合せ情報３１ｄとが、作業者（ユーザ）により入力部３２を介して既に登録、保存されており、実績情報管理装置２には、図４（Ａ）に示す実績情報２３が、作業者により入力部２４を介して既に登録、保存されているものとする。
【００３８】
先ず、例えば自動処理装置１ａにおいて、作業者からの入力部１５ａを介した開始指示により、自動処理ジョブ「２２２２」の版出力１の処理が開始すると、実績情報管理手段１２ａにより、例えば、自動処理ジョブ「２２２２」、当該処理「版出力１」、及び開始時刻（日時）「2004/3/11 14:30」が取得され、実績情報管理手段１２ａにより、実績情報１４ａとして図示しない記憶部に記憶保存される。このように保存された実績情報１４ａは、実績情報管理手段１２ａにより管理されることになり、実績情報収集装置３からの収集要求に応じて実績情報出力手段１３ａに出力される。
【００３９】
一方、実績情報収集装置３においては、図３に示す処理が実行されると、タイマカウントが開始され（ステップＳ１）、続いて、所定時間（例えば、３０秒）経過したか否かが判別され（ステップＳ２）、経過した場合には（ステップＳ２：Ｙ）、ステップＳ３に移行する。
【００４０】
ステップＳ３では、実績情報収集手段３１により自動処理装置１ａに対して実績情報の収集要求がなされ、収集可能である場合には（ステップＳ３：Ｙ）、これに応じて実績情報収集装置３の実績情報出力手段１３ａから出力された実績情報１４ａが収集される。一方、収集可能でない場合（例えば、過去に同一の実績情報１４ａが収集されている場合等）には（ステップＳ３：Ｎ）、ステップＳ７に移行する。
【００４１】
なお、一度取得された内容が同一の（言い換えれば、更新されていない）実績情報１４ａは、再収集ができないように、自動処理装置１ａ又は実績情報収集装置３にて対応が図られる（例えば、実績情報１４ａに収集フラグ“１”が立つ）。また、実績情報１４ａの収集方法は、実績情報収集装置３の実績情報管理手段１２ａに応じて変えることが可能であり、例えば、実績情報管理手段１２ａが実績情報１４ａをデータファイルとして管理する場合には、実績情報収集手段３１は、更新のあったデータファイルを収集する。また、実績情報管理手段１２ａに例えばリレーショナルデータベースが含まれる場合には、実績情報収集手段３１は、当該データベースに接続して例えばＳＱＬ（Structured Query Language）などの問い合わせ言語を使用して当該実績情報１４ａを収集する。
【００４２】
次いで、上記収集された実績情報１４ａに含まれる自動処理ジョブ「２２２２」に付け合（関連付け）されている実績管理ジョブ「３３３３」が、付け合せ手段３１ｆによりジョブ付け合せ情報３１ｂ（図２（Ｃ）参照）に基づき決定、取得され、かつ、上記収集された実績情報１４ａに含まれる処理「版出力１」に付け合（関連付け）されている作業「版作成」が、付け合せ手段３１ｆにより処理付け合せ情報３１ｄ（図２（Ｄ）参照）に基づき決定、取得される（ステップＳ４）。
【００４３】
次いで、上記取得された実績管理ジョブ「３３３３」及び作業「版作成」が用いられ、上記収集された例えば実績情報１４ａが、実績情報管理装置２にて管理される実績情報に応じた形式に変換手段３１ｇにより変換され、実績管理ジョブ「３３３３」、作業「版作成」、処理「版出力１」、開始時刻（日時）「2004/3/11 14:30」を含む実績情報２３が生成される（ステップＳ５）。
【００４４】
次いで、上記生成された実績情報２３は、ネットワーク４を介して実績情報管理装置２に実績情報出力手段３１ｈにより出力（送信）される（ステップＳ６）。なお、実績情報出力手段３１ｈは、実績情報管理装置２の実績情報管理手段２２によって変えることができる。例えば、実績情報管理手段２２がＡＰＩ（Application Programming interface）として用意され公開されている場合には、実績情報出力手段３１ｈは、それに従った通信をする。また、実績情報管理手段２２がデータファイルに実績情報２３を記述して特定のフォルダに投入（格納）するようなファイル共有による方法である場合には、実績情報出力手段３１ｈは、例えば実績情報２３を特定のフォルダに投入する。また、実績情報管理手段２２に例えばリレーショナルデータベースが含まれる場合には、実績情報出力手段３１ｈは、例えばＳＱＬなどの問い合わせ言語を使用して実績情報２３を実績情報管理手段２２に入力する。
【００４５】
こうして、上記出力された実績情報２３は、実績情報管理手段２２により、図４（Ｂ）に示すように、図示しない記憶部に記憶保存されることになる。
【００４６】
一方、実績情報収集装置３においては、図３に示すステップＳ７にて、他の自動処理装置があるか否かが判別され、ある場合には（ステップＳ７：Ｙ）、当該自動処理装置（例えば、自動処理装置１ｂ）に対して、ステップＳ３〜Ｓ６の処理が行われる。一方、他の自動処理装置がない場合には（ステップＳ７：Ｎ）、タイマリセットがなされ（ステップＳ８）、ステップＳ１に戻り、上記と同様の処理が繰り返し行われる。
【００４７】
そして、例えば自動処理装置１ａにおいて、上記自動処理ジョブ「２２２２」の版出力１の処理が終了すると、実績情報管理手段１２ａにより、例えば、終了時刻（日時）「2004/3/11 14:40」及び処理結果「良好」が、既に保存されている自動処理ジョブ「２２２２」に対応付けられて実績情報１４ａとして図示しない記憶部に記憶保存される。
【００４８】
このように保存された更新された実績情報１４ａは、上記と同じようにステップＳ３にて収集され、ステップＳ４にて実績管理ジョブ「３３３３」及び作業「版作成」が取得され、続いて、ステップＳ５にて変換され、実績管理ジョブ「３３３３」、作業「版作成」、処理「版出力１」、開始時刻（日時）「2004/3/11 14:30」、終了時刻（日時）「2004/3/11 14:40」及び処理結果「良好」を含む実績情報２３が生成される。そして、当該生成された実績情報２３は、ステップＳ６にて実績情報管理装置２に出力（送信）されることになる。
【００４９】
こうして、上記出力された実績情報２３は、実績情報管理手段２２により、図４（Ｃ）に示すように、図示しない記憶部に記憶保存されることになる。
【００５０】
なお、図４（Ｃ）において示された実績管理ジョブが「５５５５」である実績情報は、自動処理装置以外の設備における実績情報であり、これは、作業者により入力部２４を介して入力されたものである。
【００５１】
以上説明したように上記実施形態によれば、複数の自動処理装置１ａ，１ｂにおける実績情報１４ａ，１４ｂを実績情報収集装置３が収集し、実績情報管理装置２にて管理される実績情報に応じた形式に変換して実績情報管理装置２に出力して保存させるようにしたので、作業者が実績情報を実績情報管理装置２に入力する手間を削減することができ、より効率的に実績情報を管理することができる。
【００５２】
しかも、処理内容が互いに異なる複数の自動処理装置や複数のジョブがあっても上述した付け合せ情報等によって、実績情報収集装置３にて実績情報管理装置２において管理される実績情報の形式に変換し出力することができるので、より一層、効率良く複数の自動処理装置における実績情報を一元管理することができ、更に、自動処理装置以外の設備における実績情報をも含めて一元管理することができる。
【００５３】
なお、上記実施形態においては、自動処理ジョブと実績管理ジョブが異なっている場合を例にとって説明したが、「自動処理ジョブと実績管理ジョブとを同一にする」というようにルールかされていれば、付け合せ手段３１ｆによる上述したジョブの付け合せの処理を省略することも可能である。
【図面の簡単な説明】
【００５４】
【図１】本実施形態におけるシステムＳの構成例を示す図である。
【図２】（Ａ）は、自動処理装置で管理される実績情報の一例を、（Ｂ）は、実績情報管理装置で管理される実績情報の一例を、（Ｃ）及び（Ｄ）は、実績情報収集装置３で管理されるジョブ付け合せ情報及び処理付け合せ情報の一例を、夫々示す図である。
【図３】実績情報収集装置３における演算処理部３１における実績情報収集処理の一例を示すフローチャートである。
【図４】実績情報管理装置２にて管理される実績情報２３の内容が変化する様子を示す図である。
【符号の説明】
【００５５】
１ａ，１ｂ  自動処理装置
２  実績情報管理装置
３  実績情報収集装置
４  ネットワーク
３１  演算処理部
３１ａ  ジョブ管理手段
３１ｂ  ジョブ付け合せ情報
３１ｃ  処理管理手段
３１ｄ  処理付け合せ情報
３１ｅ  実績情報収集手段
３１ｆ  付け合せ手段
３１ｇ  変換手段
３１ｈ  実績情報出力手段
３２  入力部
３３  表示部
Ｓ  システム
【図１】
2006099204.tif 000003
【図２】
2006099204.tif 000004
【図３】
2006099204.tif 000005
【図４】
2006099204.tif 000006